(57)【要約】      （修正有）【課題】視認性を向上させて歩行者の安全を確保することのできる雨具に関し、夜間の視認性を確保することのできる利便性のよい雨具を提供する。【解決手段】防水生地を有する雨具であって、生地の全部、または一部に、蓄光顔料を含有する合成樹脂フィルムを用いた蓄光雨具。【選択図】図１
0003119317.tif 000002
【実用新案登録請求の範囲】
【請求項１】
防水生地を有する雨具であって、
前記生地の全部、または一部に、蓄光顔料を含有する合成樹脂フィルムを用いたことを特徴とする蓄光雨具。
【請求項２】
前記雨具は、レインコートであることを特徴とする請求項１記載の蓄光雨具。
【請求項３】
前記雨具は、傘であることを特徴とする請求項１記載の蓄光雨具。
【考案の詳細な説明】
【技術分野】
【０００１】
この考案は、雨具、特に視認性を向上させて歩行者の安全を確保することのできる雨具に関する。
【背景技術】
【０００２】
従来、レインコート、および傘等に代表される雨具は、実用性を追及する商品として、主に価格、機能性が重視されてきた。しかし、近年においては、ファッション性を追及した雨具が数多く流通し始めている。こうした状況の下、華やかで利便性のよい雨具を提供することは、時代のニーズに合致するものである。
【考案の開示】
【考案が解決しようとする課題】
【０００３】
ところで、一般に、雨具を使用する雨天時は視認性が悪く、特に夜間においては車両から歩行者を視認し難いことが問題となっている。このため、歩行者は対向車から我が身を守る上で大きな不安を抱えることとなる。
【０００４】
そこで、例えば、再帰反射材による反射光を利用し、視認性を確保する方法がある。ここで、再帰反射材とは光を入射した方向に反射させる材料である。このため、かかる反射材を雨具等に使用することにより車両等の光が反射し、夜間の視認性を向上させることが可能となる。しかし、かかる素材は高価なことから、特殊な用途以外に利用されることがないのが実情であった。
【０００５】
この考案は、上述のような課題を解決するためになされたもので、夜間の視認性を確保することのできる利便性のよい雨具を提供することを目的とする。
【課題を解決するための手段】
【０００６】
第１の考案は、上記目的を達成するため、防水生地を有する雨具であって、
前記生地の全部、または一部に、蓄光顔料を含有する合成樹脂フィルムを用いたことを特徴とする。
【０００７】
第２の考案は、第１の考案において、
前記雨具は、レインコートであることを特徴とする。
【０００８】
第３の考案は、第１の考案において、
前記雨具は、傘であることを特徴とする。
【考案の効果】
【０００９】
第１の考案によれば、前記生地の全部、または一部に、蓄光顔料を含有する合成樹脂フィルムが用いられる。このため、雨具の前記フィルム部は夜間に発光し、視認性の悪い雨天時の夜間においても、雨具を使用している歩行者の安全性を確保することができる。
【００１０】
第２の考案によれば、レインコートの布地の全部、または一部に、蓄光顔料を含有する合成樹脂フィルムが用いられる。このため、レインコートの前記フィルム部は夜間に発光し、視認性の悪い雨天時の夜間においてもレインコートを着用している歩行者の安全性を確保することができる。
【００１１】
第３の考案によれば、傘の布地の全部、または一部に、蓄光顔料を含有する合成樹脂フィルムが用いられる。このため、傘の前記フィルム部は夜間に発光し、視認性の悪い雨天時の夜間においても傘を使用している歩行者の安全性を確保することができる。
【考案を実施するための最良の形態】
【００１２】
実施の形態１．
［実施の形態１の特徴］
図１は、本考案の実施の形態１において用いられるレインコート１０の構成を示す。この図に示すとおり、レインコート１０は、着丈の長いコート型のレインコートであり、その大部分が雨を防ぐための防水生地部で構成されている。
【００１３】
通常、防水生地としては、ポリ塩化ビニル（ＰＶＣ）等に代表されるプラスチックフィルムが使用されているが、本実施の形態１においては、これに代えて、蓄光顔料を含有する合成フィルム（以下、「蓄光フィルム」という）が使用される。ここで、蓄光顔料とは、電灯や昼間の太陽光を内部に蓄積し、暗闇で自ら発光することができる顔料であり、例えば燐光性硫化亜鉛（ZnS:Cu）を主成分とするものがある。かかる顔料は無機物のため安全性も高く、光分解等の劣化現象を起こさず、半永久的に繰り返し使用することが可能である。
【００１４】
また、上記蓄光顔料は、様々な樹脂などに混入させて成型加工することが可能である。本実施の形態においては、蓄光顔料を種々の樹脂に混入させて成型加工した合成樹脂フィルムが使用される。このため、上記レインコートは蓄光フィルム内部に光を蓄積し、夜間に自ら発光する。
【００１５】
以上説明したとおり、本実施の形態においては、レインコート１０の生地部に通常の樹脂フィルムに代えて蓄光フィルムを使用する。このため、前記レインコート全体が夜間に自ら発光し、視認性の悪い夜間においても歩行者の安全性を確保することができる。また、前記蓄光フィルムは種々の色に成型加工することが可能であり、また発光色に関しても種々存在することから、デザインの自由度が高い。このため、安全性を確保しつつ、よりファッショナブルなレインコートを提供することが可能となる。
【００１６】
ところで、上述した実施の形態１においては、レインコート１０の布地部全体に蓄光フィルムを使用することとしているが、使用形態はこれに限られない。すなわち、レインコート１０の一部に蓄光フィルムを使用、あるいは貼付けし、夜間の視認性を確保する形態としてもよい。
【００１７】
また、上述した実施の形態１においては、硫化亜鉛系（ZnS:Cu）の蓄光顔料を例として挙げているが、蓄光顔料の種類はこれに限られない。すなわち、自然光、あるいは人工の光等から光エネルギーを吸収して、暗闇に光として放出する特性を有する顔料であれば、他の化合物の蓄光顔料でもよい。
【００１８】
実施の形態２．
［実施の形態２の特徴］
次に、図２を参照して、本考案の実施の形態２について説明する。上述した実施の形態１では、レインコート１０の生地に蓄光フィルムを使用し、夜間の視認性を確保することとしている。これに対して、他の形態を有する雨具について蓄光フィルムを使用することも可能である。
【００１９】
図２はセパレート型のレインコートの構成を示す。この図に示すレインコート１２は、レインジャケット１４と、レインパンツ１６から構成される。これらは、その大部分が雨を防ぐための防水生地部で構成されている。
【００２０】
本実施の形態２においては、前記防水生地部に蓄光フィルムが使用される。前述の実施の形態１にて示したとおり、蓄光顔料は、電灯や昼間の太陽光を内部に蓄積し、暗闇で自ら発光することができる。このため、上記レインコートは蓄光フィルム内部に光を蓄積し、夜間に自ら発光する。
【００２１】
以上説明したとおり、本実施の形態においては、レインコート１２の生地部に通常の樹脂フィルムに代えて蓄光フィルムを使用する。このため、前記レインコート全体が夜間に自ら発光し、視認性の悪い夜間においても歩行者の安全性を確保することができる。また、前記蓄光フィルムは種々の色に成型加工することが可能であり、また発光色に関しても種々存在することから、デザインの自由度が高い。このため、安全性を確保しつつ、よりファッショナブルなレインコートを提供することが可能となる。
【００２２】
ところで、上述した実施の形態２においては、レインコート１２の布地部全体に蓄光フィルムを使用することとしているが、使用形態はこれに限られない。すなわち、レインコート１２の一部に蓄光フィルムを使用、あるいは貼付けし、夜間の視認性を確保する形態としてもよい。
【００２３】
実施の形態３．
［実施の形態３の特徴］
次に、図３を参照して、本考案の実施の形態３について説明する。上述した実施の形態１、および２では、レインコートの生地に蓄光フィルムを使用し、夜間の視認性を確保することとしている。これに対して、雨具として最も使用頻度の高い傘について、蓄光フィルムを使用することも可能である。
【００２４】
図３（ａ）は、本考案の実施の形態３において用いられる傘を開いた状態の平面図を示す。また、図３（ｂ）は、図３（ａ）に示す傘の側面図である。図３（ａ）および（ｂ）に示すとおり、傘２０は、張布２２と、前記張布が張設される梁骨２４（「親骨」とも言う。以下、本明細書において同じ）とを備える。本実施の形態においては、上記張布２２に、通常の張布に代えて、上述した実施の形態１同様の蓄光フィルムが使用される。このため、上記傘１６は蓄光フィルム内部に光を蓄積し、夜間に自ら発光する。
【００２５】
以上説明したとおり、本実施の形態においては、傘１６の張布１８に通常の樹脂フィルムに代えて蓄光フィルムを使用する。このため、前記傘の張布全体が夜間に自ら発光し、視認性の悪い夜間においても傘を使用する歩行者の安全性を確保することができる。また、前記蓄光フィルムは種々の色に成型加工することが可能であり、また発光色に関しても種々存在することから、デザインの自由度が高い。このため、安全性を確保しつつ、よりファッショナブルな傘を提供することが可能となる。
【００２６】
ところで、上述した実施の形態３においては、傘２０の張布２２全体に蓄光フィルムを使用することとしているが、使用形態はこれに限られない。すなわち、張布２２の一部に蓄光フィルムを使用、あるいは貼付けし、夜間の視認性を確保する形態としてもよい。
【図面の簡単な説明】
【００２７】
【図１】本考案の実施の形態１のレインコートを説明するための図である。
【図２】本考案の実施の形態２のレインコートを説明するための図である。
【図３】本考案の実施の形態３の傘を説明するための図である。
【符号の説明】
【００２８】
１０  レインコート
１２  レインコート
１４  レインジャケット
１６  レインパンツ
２０  傘
２２  張布
２４  梁骨（親骨）
【図１】
0003119317.tif 000003
【図２】
0003119317.tif 000004
【図３】
0003119317.tif 000005